(57)【特許請求の範囲】
【請求項１】
放熱用開口部を設けた器具本体と；
この器具本体の内側に配置される片口金形の蛍光ランプと；
この蛍光ランプが装着されるランプソケットと；
ランプソケットに対向して設けられ、かつ、蛍光ランプの脱着時に回動可能に軸支され、放熱用開口部に設けられ器具本体の外部に露出する放熱部と、蛍光ランプの先端面に当接するように設けられ熱伝導性が高くかつ電気的絶縁性が高いゴムを用いて形成された当接部と、蛍光ランプの脱着時に蛍光ランプに当接して案内し回動を容易にする延設部とを有する冷却手段と；
を具備したことを特徴とする照明器具。
【請求項２】
器具本体は、照射方向を覆う制光手段を備えた
ことを特徴とする請求項１記載の照明器具。
【発明の詳細な説明】
【０００１】
【発明の属する技術分野】
本発明は、蛍光ランプを冷却できる照明器具に関する。
【０００２】
【従来の技術】
従来、蛍光ランプは、管壁温度が最も低くなる最冷部の温度を制御することにより、光束を向上できる。この点、例えば下面カバーを有した埋込形の照明器具では、器具本体に放熱孔を形成しても、器具本体内の雰囲気温度が上昇し、蛍光ランプの最冷部が最適温度を上回り、光束の低下を引き起こす問題を有している。この点、特開平１−６８６１０号公報に記載されているように、片口金形の蛍光ランプについて、器具本体の内側において、蛍光ランプの先端部を反射板から突出させて、反射板の外側に放熱し、あるいは、特開平５−２２５８１９号公報に記載されているように、片口金形の蛍光ランプについて、器具本体の内側において、蛍光ランプの先端部を金属製の保持金具で保持し、蛍光ランプの熱を保持金具を介して器具本体に伝導させる構成が知られている。
【０００３】
【発明が解決しようとする課題】
しかしながら、上記特開平１−６８６１０号公報あるいは特開平５−２２５８１９号公報の構成では、蛍光ランプの熱は器具本体の内側あるいは器具本体自体に放熱されるため、器具本体の内側あるいは器具本体自体の温度が上昇した場合には、最冷部が効果的に冷却されない問題を有している。
【０００４】
本発明は、このような点に鑑みなされたもので、蛍光ランプを効果的に冷却できる照明器具を提供することを目的とする。
【０００５】
【課題を解決するための手段】
請求項１記載の照明器具は、放熱用開口部を設けた器具本体と；この器具本体の内側に配置される片口金形の蛍光ランプと；この蛍光ランプが装着されるランプソケットと；ランプソケットに対向して設けられ、かつ、蛍光ランプの脱着時に回動可能に軸支され、放熱用開口部に設けられ器具本体の外部に露出する放熱部と、蛍光ランプの先端面に当接するように設けられ熱伝導性が高くかつ電気的絶縁性が高いゴムを用いて形成された当接部と、蛍光ランプの脱着時に蛍光ランプに当接して案内し回動を容易にする延設部とを有する冷却手段と；を具備したものである。
【０００６】
そして、この構成では、冷却手段を介して、蛍光ランプの先端部から熱が器具本体の外部に直接的に放出され、蛍光ランプの最冷部などが効率良く冷却される。さらに、蛍光ランプの先端面が当接部と当接するので、光放射方向における光の損失を小さくなる。また、当接部は、熱伝導性が高く、かつ、電気的絶縁性が高いゴムを用いて形成されたので、この構成では、当接部が蛍光ランプに密着し、効率良く蛍光ランプから冷却手段に熱が伝導する。そして、蛍光ランプは片口金形で、冷却手段はランプソケットに対向して設けられたので、ランプソケットと冷却手段との間で蛍光ランプが挟まれて安定して支持される。また、冷却手段は、蛍光ランプの脱着時に移動可能に支持されたので、冷却手段が移動することにより、蛍光ランプの脱着が容易になる。さらに、冷却手段は回動するため、蛍光ランプの脱着を容易にでき、作業性を向上できる。さらに、このとき、延設部が蛍光ランプに当接する案内となり、冷却手段を容易に回動させることができる。
【０００７】
請求項２記載の照明器具は、請求項１記載の照明器具において、器具本体は、照射方向を覆う制光手段を備えたものである。
【０００８】
そして、この構成では、制光手段により器具本体の開口部分が覆われ、器具本体内側の温度が上昇しやすくなるが、冷却手段により、蛍光ランプの最冷部が効率良く冷却される。
【０００９】
【発明の実施の形態】
以下、本発明の照明器具の一実施の形態を図面を参照して説明する。
【００１０】
図１は、本発明の照明器具の一実施の形態を示す一部を拡大した断面図、図２は、同上照明器具の蛍光ランプの取付状態を示す一部を拡大した断面図、図３は、同上照明器具の断面図である。
【００１１】
そして、図１ないし図３において、１は照明器具で、この照明器具１は、被設置面部である天井板２に埋め込み設置される器具本体３を備えた埋込形照明器具を構成している。そして、器具本体３は、下面を照射開口４とした略箱状をなし、この照射開口４の外周には、天井板２の下面に当接するフランジ部５が設けられている。さらに、器具本体３の一端面には、略矩形状の放熱用開口部６が設けられているとともに、この放熱用開口部６の下側に位置して、軸受部７が設けられている。
【００１２】
また、器具本体３の上面には、天井内に設けられた吊りボルト11が挿通する通孔12が形成され、この吊りボルト11の先端部から螺合したナット14により、器具本体３が吊り下げ支持されている。また、この器具本体３の上面には、インバータ15および端子台16が取り付けられているとともに、これらインバータ15および端子台16の下側を覆って、下面を反射面とする反射板18が取り付けられている。
【００１３】
そして、この反射板18の下面には、放熱用開口部６に近接して、ランプホルダ21が設けられているとともに、放熱用開口部６の反対側の端面の近傍に位置して、ランプソケット22が取り付けられている。そして、このランプソケット22に口金部24を装着し、先端部近傍をランプホルダ21に支持されて、ＣＦＬランプなどとも呼ばれる片口金形の蛍光ランプＬが備えられている。
【００１４】
また、この蛍光ランプＬの下方に位置する照射開口４は、半透明などの制光体26およびこの制光体26を支持する枠体27を備えた制光手段28により覆われている。
【００１５】
さらに、器具本体３の一端面の内側には、冷却手段31が備えられている。この冷却手段31は、アルミニウムなどで形成されたアルミ放熱フィンである放熱体32と、この放熱体32に取り付けられた当接部33とを備えている。そして、放熱体32は、ブロック状をなす基部32a を備え、基部32a の下端部に、軸受部７に回動自在に軸支される軸支部32b が形成されている。また、この基部32a の一端面には、基部32a が上側に位置した状態で放熱用開口部６に臨むフィン状の放熱部（器具外露出部）32c が形成されている。一方、この基部32a の他端面には、当接部33が接着などして取り付けられている。そして、この当接部33は、熱伝導性が高く、かつ、電気的絶縁性の高いゴムである弾性体を用いて形成されている。さらに、この当接部33の上側に位置して、基部32a の他端面からは、板状の延設部32d が一体に延設されている。
【００１６】
そして、この冷却手段31は、ランプソケット22に装着された蛍光ランプＬの先端部、すなわち図１に示す最冷部35の近傍に当接部33を密着させる。また、蛍光ランプＬの脱着の際は、下方に回動するようになっている。
【００１７】
そして、本実施の形態によれば、冷却手段31を介して、蛍光ランプＬの最冷部35近傍の熱を器具本体３の外部に直接的に放出し、器具本体３内部の温度にかかわらず、蛍光ランプＬの最冷部を効率良く冷却して、蛍光ランプＬの光束を向上できる。
【００１８】
また、蛍光ランプＬに当接する当接部33は、熱伝導性が高く、かつ、電気的絶縁性が高いゴムを用いて形成したため、当接部33を蛍光ランプに密着させ、効率良く蛍光ランプＬから冷却手段31に熱を伝導させることができる。
【００１９】
さらに、蛍光ランプＬは片口金形で、冷却手段31はランプソケット22に対向して設けたため、ランプソケット22と冷却手段32との間で蛍光ランプＬを挟み安定して支持できる。
【００２０】
さらに、蛍光ランプＬの先端面が当接部33と当接するため、光放射方向である下方における光の損失を小さくできる。
【００２１】
また、冷却手段31は回動するため、蛍光ランプＬの脱着を容易にでき、作業性を向上できる。さらに、このとき、延設部32d が蛍光ランプＬに当接する案内となり、冷却手段31を容易に回動させることができる。
【００２２】
そして、器具本体３の照射開口４を覆う制光手段28を備えたため、照明効果を向上できる。この点、制光手段28を備えると、照射開口４が覆われ、器具本体３内側の温度が上昇しやすくなるが、冷却手段31により、蛍光ランプＬの最冷部35を効率良く冷却でき、蛍光ランプＬの光束、効率を向上できる。
【００２３】
【発明の効果】
請求項１記載の照明器具によれば、器具本体に設けた放熱用開口部を介して器具本体の外部に露出する放熱部、および蛍光ランプの先端部に当接するように設けられた当接部を有する冷却手段を具備したため、冷却手段を介して、蛍光ランプの先端側から熱を器具本体の外部に直接的に放出し、蛍光ランプの最冷部などを効率良く冷却して、蛍光ランプの光束を向上できる。さらに、蛍光ランプの先端面が当接部と当接するため、光放射方向における光の損失を小さくできる。また、当接部を、熱伝導性が高く、かつ、電気的絶縁性が高いゴムを用いて形成したため、当接部を蛍光ランプに密着させ、効率良く蛍光ランプから冷却手段に熱を伝導させることができる。そして、蛍光ランプは片口金形で、冷却手段はランプソケットに対向して設けたため、ランプソケットと冷却手段との間で蛍光ランプを挟み安定して支持できる。また、冷却手段が移動することにより、蛍光ランプの脱着を容易にでき、作業性を向上できる。さらに、冷却手段は回動するため、蛍光ランプの脱着を容易にでき、作業性を向上できる。さらに、このとき、延設部が蛍光ランプに当接する案内となり、冷却手段を容易に回動させることができる。
【００２４】
請求項２記載の照明器具によれば、請求項１記載の効果に加え、器具本体が照射方向を覆う制光手段を備えると、制光手段により器具本体の開口部分が覆われ、器具本体内側の温度が上昇しやすくなるが、冷却手段により、蛍光ランプの最冷部を効率良く冷却でき、蛍光ランプの光束を向上できる。
【図面の簡単な説明】
【図１】  本発明の照明器具の一実施の形態を示す一部を拡大した断面図である。
【図２】  同上照明器具の蛍光ランプの取付状態を示す一部を拡大した断面図である。
【図３】  同上同上照明器具の断面図である。
【符号の説明】
１    照明器具
３    器具本体
６    放熱用開口部
22    ランプソケット
28    制光手段
31    冷却手段
32c   放熱部
32d 延設部
33    当接部
Ｌ    蛍光ランプ
【図１】
0003818347.tif 000002
【図２】
0003818347.tif 000003
【図３】
0003818347.tif 000004